(57)【特許請求の範囲】
【請求項１】
刈刃ハウジング（５）内に縦軸周りで回転する複数のブレード（６Ａ），（６Ｂ），（６Ｃ）を内装し、各ブレード（６Ａ），（６Ｂ），（６Ｃ）で刈り取られた刈芝を刈刃ハウジング横一側の排出口（５Ａ）から放出するモーアにおいて、
前記刈刃ハウジング（５）の前部上面に、各ブレード（６Ａ），（６Ｂ），（６Ｃ）の回転中心を結ぶ仮想線に対して略平行な固定の内壁（５ｂ）と、この内壁（５ｂ）よりも前方側の刈刃ハウジング（５）の固定の前壁（５Ｃ）との間に位置する刈芝排出経路（Ｒ）形成用の膨出部（５Ｂ）を設け、
前記刈刃ハウジング（５）の前壁（５Ｃ）のうち、センターブレード（６Ｂ）を境にして刈芝排出口（５Ａ）側とは反対側に位置する直線状の前壁部分（５ｃ'）を刈芝排出経路（Ｒ）形成用の内壁（５ｂ）と略平行に形成し、刈芝排出口（５Ａ）側に位置する直線状の前壁部分（５ｃ''）を排出口（５Ａ）側ほど刈芝排出経路（Ｒ）形成用の内壁（５ｂ）から遠ざかるように形成して、前記刈刃ハウジング（５）の排出口（５Ａ）の前端（５ａ）を排出口側のブレード（６Ｃ）の回転軌跡（６ｃ）前端の横方向の接線（ｃ）よりも前方に位置させるとともに、
前記センターブレード（６Ｂ）の前部で、そのセンターブレード（６Ｂ）を境にして刈芝排出口（５Ａ）側とは反対側に位置する直線状の前壁部分（５ｃ'）と、刈芝排出口（５Ａ）側に位置する直線状の前壁部分（５ｃ''）とに対して接続される刈刃ハウジング前部の円弧状前壁部分（５ｃ）を、そのセンターブレード（６Ｂ）の回転中心（ａ）よりも排出口（５Ａ）側に偏位させた点（ｂ）を中心とするオフセットされた円弧状に形成してあるモーア。
【請求項２】
各ブレード（６Ａ），（６Ｂ），（６Ｃ）の回転軌跡（６ａ），（６ｂ），（６ｃ）に沿う状態で刈刃ハウジング（５）内の後部に設けられた刈芝案内用バキュームプレート（１０）の、各ブレード（６Ｂ），（６Ｃ）の案内面（１０ｂ），（１０ｃ）における下手側から、夫々、刈刃ハウジングの前方に向けて円弧状の延長案内片（１１ｂ），（１１ｃ）を設けてある請求項１記載のモーア。
【発明の詳細な説明】
【０００１】
【産業上の利用分野】
本発明は、刈刃ハウジング内に縦軸周りで回転する複数のブレードを内装し、各ブレードで刈り取られた刈芝を刈刃ハウジング横一側の排出口から放出するモーアに関する。
【０００２】
【従来の技術】
刈刃ハウジング内に縦軸周りで回転する複数のブレードを内装したモーアにおいては、実開平５‐５５８３８号公報に示されるように、ブレードによって刈り取られた刈芝は、刈刃ハウジングの横一側部に設けられた刈芝排出口から外部に排出されるようになっている。そして、各ブレードによって刈り取られた刈芝は、刈刃ハウジングの前壁内面に沿って排出口側に案内されて外部に排出されるようになっている。
【０００３】
【発明が解決しようとする課題】
芝の量が増えると、定速回転するブレードで持ち回る刈芝の量が増え、刈取り性能が低下する問題があった。
【０００４】
そこで、上記欠点を解消する手段として、モーアの大型化を図ると、走行機体との関係からモーアを機体に装着できない不都合がある。
【０００５】
また、ブレードの回転速度を速くして刈取り排出性能の向上を図ると、ブレードの高速回転に伴う騒音が発生する不都合が生じる。
【０００６】
本発明は、刈芝排出性能を向上してモーアの大型化やブレード騒音を伴うことなく刈芝の量が増えた場合に対処できるようにすることを目的とする。
【０００７】
【課題を解決するための手段】
請求項１に係わる本発明は、刈刃ハウジング内に縦軸周りで回転する複数のブレードを内装し、各ブレードで刈り取られた刈芝を刈刃ハウジング横一側の排出口から放出するモーアにおいて、
前記刈刃ハウジングの前部上面に、各ブレードの回転中心を結ぶ仮想線に対して略平行な固定の内壁と、この内壁よりも前方側の刈刃ハウジングの固定の前壁との間に位置する刈芝排出経路形成用の膨出部を設け、
前記刈刃ハウジングの前壁のうち、センターブレードを境にして刈芝排出口側とは反対側に位置する直線状の前壁部分を刈芝排出経路形成用の内壁と略平行に形成し、刈芝排出口側に位置する直線状の前壁部分を排出口側ほど刈芝排出経路形成用の内壁から遠ざかるように形成して、前記刈刃ハウジングの排出口の前端を排出口側のブレードの回転軌跡前端の横方向の接線よりも前方に位置させるとともに、
前記センターブレードの前部で、そのセンターブレードを境にして刈芝排出口側とは反対側に位置する直線状の前壁部分と、刈芝排出口側に位置する直線状の前壁部分とに対して接続される刈刃ハウジング前部の円弧状前壁部分を、そのセンターブレードの回転中心よりも排出口側に偏位させた点を中心とするオフセットされた円弧状に形成してある。
【０００８】
【０００９】
請求項２に係わる本発明は、各ブレードの回転軌跡に沿う状態で刈刃ハウジング内の後部に設けられた刈芝案内用バキュームプレートの、各ブレードの案内面における下手側から、夫々、刈刃ハウジングの前方に向けて円弧状の延長案内片を設けてある。
【００１０】
【作用】
請求項１に係わる本発明によれば、図４に示すように、排出口５Ａ側のブレード６Ｃに対して隣接するブレード６Ｂの刈刃ハウジング前部の円弧状前壁部分５ｃを、そのブレード６Ｂの回転中心ａよりも排出口５Ａ側にオフセットすることで、例えば、ブレード６Ｂの回転中心ａを中心とする円弧状前壁、つまり、仮想線Ｐに示す場合に比べて、刈芝排出経路が広くなり、ブレード６Ｂによる持ち回りの刈芝がその部位で解き放たれて接線方向への排出性能が向上する。
【００１１】
また、排出口の前端を、排出口側のブレードの回転軌跡前端の接線よりも前方に位置させてあるから、排出口の前端を、排出口側のブレードの回転軌跡前端の接線と同じ位置に設ける場合に比べて排出口の開口面積が増大し、刈芝の排出がスムーズとなり、より排出性能が向上する。
【００１２】
請求項２に係わる本発明によれば、各ブレードの持ち回りによる刈芝同士の接触が抑制されて、延いては、刈芝の排出がスムーズとなり、より排出性能が向上する。
【００１３】
【発明の効果】
請求項１に係わる本発明によれば、刈芝の排出性能が向上して、延いては、作業能率のアップを図ることができる。
【００１４】
【００１５】
請求項２に係わる本発明によれば、さらに、刈芝の排出性能が向上して、作業能率のアップを図ることができる。
【００１６】
【実施例】
以下、本発明の実施例を前・後輪の間にモーアを装備したミッドマウント型乗用芝刈機に付いて説明する。
【００１７】
図１は、ミッドマウント型乗用芝刈機の全体を示し、このミッドマウント型乗用芝刈機は、走行車体１の前・後輪２，３の間にリンク機構４を介してモーアＭを昇降自在に連結し、モーアＭで刈り取った刈芝を、刈刃ハウジング横一側部の排出口から放出するようになっている。
【００１８】
図２に示すように、前記モーアＭは、刈刃ハウジング５内に縦軸芯周りで回転する３枚のブレード６Ａ，６Ｂ，６Ｃを内装した３枚ブレード形式のモーアであって、刈刃ハウジング５の横一側部に刈芝排出口５Ａを有し、機体側からの伝動軸７、並びに、刈刃ハウジング５の上面に設けたベベルギアケース８内のベベルギア機構を介してセンタブレード６Ｂが駆動され、そのセンタブレード６Ｂからベルト伝動装置９を介して左右両側のサイドブレード６Ａ，６Ｃが駆動されるようになっている。
【００１９】
前記刈刃ハウジング５の前部上面には、各ブレード６Ａ，６Ｂ，６Ｃの回転中心を結ぶ仮想線に対して略平行な内壁５ｂを有する刈芝排出経路Ｒ形成用の膨出部５Ｂが形成されている。
【００２０】
図４に示すように、前記刈芝排出経路Ｒの外壁を形成する刈刃ハウジング５の前壁５Ｃは、そのセンターブレード６Ｂの前壁部分５ｃが、センターブレード６Ｂの回転中心ａに対して刈芝排出口５Ａ側に偏位された点ｂを中心とする円弧状の前壁に形成されている。そして、センターブレード６Ｂを境にして刈芝排出口５Ａ側と反対側の前壁部分５ｃ' が、刈芝排出経路Ｒ形成用の内壁５ｂと略平行に形成され、刈芝排出口５Ａ側の前壁部分５ｃ''が、排出口５Ａ側ほど刈芝排出経路Ｒ形成用の内壁５ｂから遠ざかるように形成されている。つまり、刈芝排出口５Ａ側の刈芝排出経路Ｒは刈芝排出口５Ａに至るほど幅広く形成されている。
更に詳述すると、刈芝排出口５Ａの前端５ａが、刈芝排出口５Ａ側と反対側の刈芝排出経路Ｒ形成用の内壁５ｂと略平行な前壁部分５ｃ' 、及び、刈刃ハウジング５の側壁５Ｄ、並びに、両サイドブレード６Ａ，６Ｃの回転軌跡６ａ，６ｃの前端同士を結ぶ仮想線ｃを結ぶ交点ｄよりも前方に位置する状態に設定されて、刈芝排出口５Ａ側の刈芝排出経路Ｒの幅が広く形成されている。
【００２１】
前記刈刃ハウジング５の後部内面には、各ブレード６Ａ，６Ｂ，６Ｃの回転軌跡６ａ，６ｂ，６ｃの一部に沿って刈芝案内面を有するバキュームプレート１０が設けられている。そして、そのバキュームプレート１０の、各ブレード６Ｂ，６Ｃの案内面１０ｂ，１０ｃにおける下手側から、夫々、刈刃ハウジングの前方に向けて円弧状の延長案内片１１ｂ，１１ｃが延出されて、各ブレード６Ａ，６Ｂ，６Ｃの持ち回りによる刈芝同士の接触が抑制されるようになっている。
【００２２】
上記モーアにおいては、刈芝の大部分は刈芝排出経路Ｒを介して外部に排出されることとなるが、各ブレード６Ａ，６Ｂで持ち回わされた刈芝は膨出部５Ｂの内壁５ｂに当たって刈芝排出経路Ｒ内に刈芝の淀みができる。そのため、このモーアにおいては、図５に示すように、膨出部内壁５ｂのブレード６Ａ，６Ｂ，６Ｃ外周部付近の壁を後方に至るほど低くなる傾斜面５ｅ，５ｅに形成して、刈芝の淀みを抑制すべく構成してある。
【００２３】
〔別実施例〕  上記実施例においては、３枚ブレード形式に付いて説明したが２枚ブレード形式において、刈刃ハウジングの排出口に対して遠いブレードの前壁部分を上記実施例のように構成しても良い。
【００２４】
尚、特許請求の範囲の項に図面との対照を便利にするために符号を記すが、該記入により本発明は添付図面の構成に限定されるものではない。
【図面の簡単な説明】
【図１】乗用芝刈機の全体側面図
【図２】モーアの平面図
【図３】モーアの縦断側面図
【図４】モーアの底面図
【図５】モーアの斜視図
【符号の説明】
５                  刈刃ハウジング
５Ａ                排出口
５ｃ                円弧状前壁部分
６Ａ，６Ｂ，６Ｃ    ブレード
ａ                  回転中心
ｂ                  偏位点
【図１】
0003582878.tif 000002
【図２】
0003582878.tif 000003
【図３】
0003582878.tif 000004
【図４】
0003582878.tif 000005
【図５】
0003582878.tif 000006